(57)【要約】【課題】  電極部を小型化することができるヒータ線及び温熱治療器を提供する。【解決手段】  ヒータ線は、電源に接続される第１電極としての第１コネクタ部１と、電源に接続される第２電極としての第２コネクタ部２と、一方端がそれぞれ第１コネクタ部１に接続され、他方端が短絡された第１短絡部５ａである一対の第１発熱線３ａ，３ｂと、一方端がそれぞれ第２コネクタ部２に接続され、他方端が短絡された第２短絡部５ｂである一対の第２発熱線４ａ，４ｂと、第１コネクタ部１と第２コネクタ部２との間に接続された検知線（３ｃ，５ｃ，４ｃ）と、第１短絡部５ａと第２短絡部５ｂとを収容し、検知線５ｃを通過させた中継部５とを備える。【選択図】      図２
2015122274.tif 000002
【特許請求の範囲】
【請求項１】
電源に接続される第１電極としての第１コネクタ部と、
電源に接続される第２電極としての第２コネクタ部と、
一方端がそれぞれ前記第１コネクタ部に接続され、他方端が短絡された第１短絡部である一対の第１発熱線と、
一方端がそれぞれ前記第２コネクタ部に接続され、他方端が短絡された第２短絡部である一対の第２発熱線と、
前記第１コネクタ部と前記第２コネクタ部との間に接続された検知線と、
前記第１短絡部と前記第２短絡部とを収容し、前記検知線を通過させた中継部と
を備えることを特徴とするヒータ線。
【請求項２】
電源に接続される第１電極としての第１コネクタ部と、電源に接続される第２電極としての第２コネクタ部と、一方端がそれぞれ前記第１コネクタ部に接続され、他方端が短絡された第１短絡部である一対の第１発熱線と、一方端がそれぞれ前記第２コネクタ部に接続され、他方端が短絡された第２短絡部である一対の第２発熱線と、前記第１コネクタ部と前記第２コネクタ部との間に接続された検知線と、前記第１短絡部と前記第２短絡部とを収容し、前記検知線を通過させた中継部とを備えるヒータ線と、
前記第１コネクタ部及び前記第２コネクタ部を露出させて、前記第１発熱線、前記第２発熱線、前記検知線、及び、前記中継部を収容する収容部と
を備えることを特徴とする温熱治療器。
【請求項３】
前記第１発熱線は、前記収容部のうち人体の胸元部分を温熱治療するように配設され、前記第２発熱線は、前記収容部のうち人体の足元部分を温熱治療するように配設されることを特徴とする請求項２に記載の温熱治療器。
【発明の詳細な説明】
【技術分野】
【０００１】
本発明は、ヒータ線及び温熱治療器に関する。
【背景技術】
【０００２】
従来のヒータ線としては、例えば図４に示すものが挙げられる。
【０００３】
このヒータ線は、コネクタ部２０１、２０２間を、発熱線２０３，２０４及び検知線２０５により接続して構成されている。発熱線２０３、２０４、及び、検知線２０５は被覆材２１０により被覆されている。
【０００４】
コネクタ部２０１は、発熱線２０３，２０４及び検知線２０５の一方端が接続されている電極部２０１ａ、２０１ｂ、２０１ｃを備える。コネクタ部２０２は、発熱線２０３，２０４及び検知線２０５の他方端が接続されている電極部２０２ａ、２０２ｂ、２０２ｃを備える。
【０００５】
このようなヒータ線は、電極部２０１ａと電極部２０２ａとの間に電圧が印加されると共に、電極部２０１ｂと電極部２０２ｂとの間に電圧が印加される。これにより発熱線２０３、２０４が発熱する。
【０００６】
このヒータ線は、例えば、図５に示すように配置され、温熱治療器２００を構成する。一方のヒータ線は胸元部分２００ｂを温熱治療するよう配置される。他方のヒータ線は足元部分２００ａを温熱治療するよう配置される。
【０００７】
ヒータ線は、それぞれのコネクタ部２０１、２０２が、ヒータコントローラ及び電源に接続可能なように露出する。コネクタ部２０１、２０２のそれぞれには３本の電極部２０１ａ〜２０１ｃ、２０２ａ〜２０２ｃが設けられている。この結果、温熱治療器２００は、１２本の電極部が露出している。
【０００８】
また、このようなヒータ線としては、下記の特許文献１が知られている。
【先行技術文献】
【特許文献】
【０００９】
【特許文献１】特開２００６−２２１９９９号公報
【発明の概要】
【発明が解決しようとする課題】
【００１０】
上述したヒータ線は、その両端に３本の電極部を備えている。したがって、１本のヒータ線当たり６本の電極部が存在し、電極部が装着されるコネクタのピンが６本必要となる。また、上述したように、治療箇所を増やすごとに６本の電極部及びコネクタのピンが必要となる。
【００１１】
例えば図５に示すように胸元部分２００ｂと足元部分２００ａとのそれぞれで温度制御しようとすると、１２本の電極部及びコネクタのピンが必要となる。したがって、従来のヒータ線では、電極部及びコネクタの小型化が困難であった。
【００１２】
そこで、本発明は、上述した実情に鑑みて提案されたものであり、電極部を小型化することができるヒータ線及び温熱治療器を提供することを目的とする。
【課題を解決するための手段】
【００１３】
本発明の第１の態様に係るヒータ線は、電源に接続される第１電極としての第１コネクタ部と、電源に接続される第２電極としての第２コネクタ部と、一方端がそれぞれ前記第１コネクタ部に接続され、他方端が短絡された第１短絡部である一対の第１発熱線と、一方端がそれぞれ前記第２コネクタ部に接続され、他方端が短絡された第２短絡部である一対の第２発熱線と、前記第１コネクタ部と前記第２コネクタ部との間に接続された検知線と、前記第１短絡部と前記第２短絡部とを収容し、前記検知線を通過させた中継部とを備えることを特徴とする。
【００１４】
本発明の第２の態様に係る温熱治療器は、電源に接続される第１電極としての第１コネクタ部と、電源に接続される第２電極としての第２コネクタ部と、一方端がそれぞれ前記第１コネクタ部に接続され、他方端が短絡された第１短絡部である一対の第１発熱線と、一方端がそれぞれ前記第２コネクタ部に接続され、他方端が短絡された第２短絡部である一対の第２発熱線と、前記第１コネクタ部と前記第２コネクタ部との間に接続された検知線と、前記第１短絡部と前記第２短絡部とを収容し、前記検知線を通過させた中継部とを備えるヒータ線と、前記第１コネクタ部及び前記第２コネクタ部を露出させて、前記第１発熱線、前記第２発熱線、前記検知線、及び、前記中継部を収容する収容部とを備えることを特徴とする。
【００１５】
本発明の第３の態様に係る温熱治療器は、第２態様の温熱治療器であって、前記第１発熱線は、前記収容部のうち人体の胸元部分を温熱治療するように配設され、前記第２発熱線は、前記収容部のうち人体の足元部分を温熱治療するように配設されることを特徴とする。
【発明の効果】
【００１６】
本発明によれば、電極部を小型化することができるヒータ線及び温熱治療器を提供することができる。
【図面の簡単な説明】
【００１７】
【図１】本発明の実施形態として示す温熱治療器の構成を示す平面図である。
【図２】本発明の実施形態として示すヒータ線の構成を示す図である。
【図３】本発明の実施形態として示すヒータ線における中継部の内部構成を示す図である。
【図４】従来のヒータ線の構造を示す図である。
【図５】従来の温熱治療器の構造を示す図である。
【発明を実施するための形態】
【００１８】
以下、本発明の実施の形態について図面を参照して説明する。
【００１９】
本発明の実施の形態として示す温熱治療器１００は、例えば図１に示すように構成される。
【００２０】
この温熱治療器１００は、本体部１０１、収容部１０２、及び、接続部１０３を有する。
【００２１】
本体部１０１は、温熱治療器１００の土台として機能する。本体部１０１は、温熱治療時において、例えばユーザが寝そべった状態で、ユーザの体に温熱を与えることができる縦横寸法を有している。本体部１０１には、後述するヒータ線等が収容される収容部１０２が貼り付けられている。さらに本体部１０１には、ヒータ線の端部に取り付けられたコネクタ部１、２が接続される接続部１０３が設けられている。
【００２２】
収容部１０２は、ユーザに与える温熱の熱源となるヒータ線３，４等を収容する。収容部１０２は、ユーザに温熱治療を行うことができるよう布製又はクッション材の材料からなる。この収容部１０２の材料は既知のものが使用可能である。
【００２３】
収容部１０２は、後述するヒータ線３，４が、図１に示すように平面視で見た時に波状に配置される。さらに、収容部１０２は、後述する第１コネクタ部１及び第２コネクタ部２を露出させて、ヒータ線３，４等を収容する。
【００２４】
接続部１０３は、収容部１０２から露出している第１コネクタ部１及び第２コネクタ部２が電気的に接続される。接続部１０３は、第１コネクタ部１及び第２コネクタ部２が挿入される受入電極を有している。後述するように第１コネクタ部１及び第２コネクタ部２の電極数は６本となっている。したがって、接続部１０３における受入電極は６個となっている。
【００２５】
接続部１０３は、電源１２０及び制御部１１０と接続されている。接続部１０３は、第１コネクタ部１及び第２コネクタ部２が電気的に接続された状態で、第１コネクタ部１及び第２コネクタ部２を介してヒータ線３，４等に電圧を印加可能である。
【００２６】
さらに、接続部１０３に対する第１コネクタ部１及び第２コネクタ部２の接続状態は、第１コネクタ部１及び第２コネクタ部２に接続されている後述の検知線３ｃ，４ｃの接続状態により検知可能である。この検知状態は、制御部１１０によって認識される。
【００２７】
さらに、ヒータ線３，４に接続された電圧の印加状態は、制御部１１０によって制御可能である。
【００２８】
ヒータ線３，４と第１コネクタ部１及び第２コネクタ部２とは、図２に示すような接続関係となっている。ヒータ線は、図１における胸元部分１００ｂを温熱治療するための胸元側ヒータ線３と、図１における足元部分１００ａを温熱治療するための足元側ヒータ線４とから構成されている。
【００２９】
胸元側ヒータ線３は、一方端が第１コネクタ部１と接続されている。胸元側ヒータ線３は、他方端が中継部５と接続されている。胸元側ヒータ線３は、一対の第１発熱線３ａ，３ｂを被覆材３ｄによって収容している。さらに胸元側ヒータ線３は、検知線３ｃを被覆材３ｄによって収容している。
【００３０】
一対の第１発熱線３ａ，３ｂは、一方端が第１コネクタ部１の電極部１ａ，１ｂに接続されている。一対の第１発熱線３ａ，３ｂは、他方端が中継部５に収容されている。この一対の第１発熱線３ａ，３ｂの他方端は、中継部５において短絡されて、第１短絡部５ａを形成している。
【００３１】
足元側ヒータ線４は、一方端が第２コネクタ部２と接続されている。足元側ヒータ線４は、他方端が中継部５と接続されている。足元側ヒータ線４は、一対の第２発熱線４ａ，４ｂを被覆材４ｄによって収容している。さらに足元側ヒータ線４は、検知線４ｃを被覆材４ｄによって収容している。
【００３２】
一対の第２発熱線４ａ，４ｂは、一方端が第２コネクタ部２の電極部２ａ，２ｂに接続されている。一対の第２発熱線４ａ，４ｂは、他方端が中継部５に収容されている。この一対の第２発熱線４ａ，４ｂの他方端は、中継部５において短絡されて、第２短絡部５ｂを形成している。
【００３３】
検知線３ｃの一方端は、第１コネクタ部１の電極部１ｃに接続されている。検知線３ｃの他方端は、中継部５に引き込まれている。検知線４ｃの一方端は、第２コネクタ部２の電極部２ｃに接続されている。検知線４ｃの他方端は、中継部５に引き込まれている。
【００３４】
中継部５内の検知線５ｃは、胸元側ヒータ線３における検知線３ｃ及び足元側ヒータ線４における検知線４ｃと繋がっている。
【００３５】
第１コネクタ部１は、電源１２０に接続可能である。第１コネクタ部１は、電極部１ａ，１ｂと、電極部１ｃとを有している。電極部１ａ，１ｂは、電源１２０に接続される。電極部１ａ，１ｂは、胸元側ヒータ線３における第１発熱線３ａ，３ｂと接続されている。これにより、第１コネクタ部１は、電源１２０から供給された電圧を第１発熱線３ａ，３ｂに印加可能となっている。電極部１ｃは、検知線３ｃと接続されている。これにより、第１コネクタ部１は、第１コネクタ部１が接続部１０３に接続された場合に、制御部１１０によって接続が検知される。
【００３６】
第２コネクタ部２は、図示しない電源１２０に接続可能である。第２コネクタ部２は、電極部２ａ，２ｂと、電極部２ｃとを有している。電極部２ａ，２ｂは、電源１２０に接続される。電極部２ａ，２ｂは、足元側ヒータ線４における第２発熱線４ａ，４ｂと接続されている。これにより、第２コネクタ部２は、電源１２０から供給された電圧を第２発熱線４ａ，４ｂに印加可能となっている。電極部２ｃは、検知線４ｃと接続されている。これにより、第２コネクタ部２は、第２コネクタ部２が接続部１０３に接続された場合に、制御部１１０によって接続が検知される。
【００３７】
中継部５は、例えば図３に示すように構成される。中継部５は、第１短絡部５ａ及び第２短絡部５ｂとを収容し、検知線５ｃを通過させて構成されている。
【００３８】
中継部５内において、一対の第１発熱線３ａ，３ｂは、それぞれ、例えば、内部導体３１ａ，３１ｂ同士が半田によって接続される。この半田からなる接続部３２は絶縁体としてのチューブによって保護される。これにより中継部５内に第１短絡部５ａを形成する。なお、内部導体３１ａ，３１ｂ同士の接続は端子を用いてもよい。
【００３９】
中継部５内において、一対の第２発熱線４ａ，４ｂは、それぞれ、例えば、内部導体４１ａ，４１ｂ同士が半田によって接続される。この半田からなる接続部４２は絶縁体としてのチューブによって保護される。これにより中継部５内に第２短絡部５ｂを形成する。なお、内部導体４１ａ，４１ｂ同士の接続は端子を用いてもよい。
【００４０】
検知線３ｃ及び検知線４ｃはそれぞれの内部導体６１ａ，６１ｂ同士が例えば半田６１ｃによって接続される。そして検知線３ｃと検知線４ｃとの接続部分はチューブ等の絶縁体６２によって保護される。なお、内部導体６１ａ，６１ｂ同士の接続は端子を用いてもよい。
【００４１】
このような中継部５は、第１短絡部５ａ及び第２短絡部５ｂ、検知線３ｃと検知線４ｃとの接続部分を含んでモールド成形される。
【００４２】
以上のように、温熱治療器１００におけるヒータ線は、電源（１２０）に接続される第１電極としての第１コネクタ部（１）と、電源に接続される第２電極としての第２コネクタ部（２）と、を有する。さらに、ヒータ線は、一方端がそれぞれ第１コネクタ部に接続され、他方端が短絡された第１短絡部（５ａ）である一対の第１発熱線（３ａ，３ｂ）を有する。さらにヒータ線は、一方端がそれぞれ第２コネクタ部に接続され、他方端が短絡された第２短絡部（５ｂ）である一対の第２発熱線（４ａ，４ｂ）を有する。さらにヒータ線は、第１コネクタ部と第２コネクタ部との間に接続された検知線（４ｃ，４ｃ，５ｃ）を有する。さらにヒータ線は、第１短絡部と第２短絡部とを収容し、検知線を通過させた中継部（５）を有する。
【００４３】
このようなヒータ線によれば、一対の第１発熱線３ａ，３ｂを短絡すると共に一対の第２発熱線４ａ，４ｂを短絡させたので、第１コネクタ部１、第２コネクタ部２のそれぞれの電極数を３本にすることができる。したがって、ヒータ線によれば、既存のヒータ線よりも電極数を少なくすることができ、電極部を小型化することができる。
【００４４】
さらに、このヒータ線によれば、第１コネクタ部１及び第２コネクタ部２の電極数を少なくできるので、第１コネクタ部１及び第２コネクタ部２の寸法を小型化できる。これにより、ヒータ線は、デザイン上で、コンパクトなものとすることができる。
【００４５】
さらに、このヒータ線によれば、第１コネクタ部１及び第２コネクタ部２の電極数が少ないので、接続部１０３に対する第１コネクタ部１及び第２コネクタ部２の挿抜力を小さくできる。
【００４６】
さらに、このヒータ線によれば、足元部分１００ａと胸元部分１００ｂとでヒータ線を１本とすることができる。したがって、このヒータ線によれば、温熱治療器１００の製造工程においてヒータ線を収容部１０２に通線する工程を容易にすることができる。
【００４７】
温熱治療器１００によれば、ヒータ線と、第１コネクタ部（１）及び第２コネクタ部（２）を露出させて、第１発熱線（３ａ，３ｂ）、第２発熱線（４ａ，４ｂ）、検知線（４ｃ，４ｃ，５ｃ）、及び、中継部（５）を収容する収容部（１０２）とを備える。
【００４８】
この温熱治療器１００によれば、ヒータ線の電極数が既存のヒータ線よりも少ないので、第１コネクタ部１及び第２コネクタ部２の電極数を少なくしているので、当該第１コネクタ部１及び第２コネクタ部２が接続される接続部（１０３）を小型化できる。
【００４９】
また、この温熱治療器１００によれば、制御部１１０によって、一対の第１発熱線３ａ，３ｂに印加する電圧を制御すると共に、一対の第２発熱線４ａ，４ｂに印加する電圧を制御する。これにより、温熱治療器１００によれば、一対の第１発熱線３ａ，３ｂと一対の第２発熱線４ａ，４ｂとをそれぞれ独立して制御することができる。
【００５０】
さらに、この温熱治療器１００において、第１発熱線は、収容部のうち人体の胸元部分を温熱治療するように配設され、第２発熱線は、収容部のうち人体の足元部分を温熱治療するように配設される。この温熱治療器１００によれば、胸元部分と足元部分とでそれぞれ温熱量を制御することができる。
【００５１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５２】
１  第１コネクタ部
１ａ，１ｂ，１ｃ  電極部
２  第２コネクタ部
２ａ，２ｂ，２ｃ  電極部
３  胸元側ヒータ線
３ａ，３ｂ  第１発熱線
３ｃ  検知線
４  足元側ヒータ線
４ａ，４ｂ  第２発熱線
４ｃ  検知線
５  中継部
５ａ  第１短絡部
５ｂ  第２短絡部
５ｃ  検知線
１００  温熱治療器
１００ａ  足元部分
１００ｂ  胸元部分
１０２  収容部
１１０  制御部
１２０  電源
【図１】
2015122274.tif 000003
【図２】
2015122274.tif 000004
【図３】
2015122274.tif 000005
【図４】
2015122274.tif 000006
【図５】
2015122274.tif 000007